(57)【特許請求の範囲】
【請求項１】
建物の外壁と、建物の屋根の軒先部に設けられる鼻隠部材との間に架け渡されるようにして不燃材からなる平板状の軒天材が設けられており、この軒天材の上面に軟質断熱材が敷設されており、
前記鼻隠部材は、この鼻隠部材の下部近傍に設けられるとともに、外部と軒裏とを連通する通気路を有する通気部と、この通気部と一体形成されるとともに、前記通気路と前記断熱材の軒先側端部との間に立ち上がる仕切り部とを備えていることを特徴とする軒天防火構造。
【請求項２】
建物の外壁と、建物の屋根の軒先部に設けられる鼻隠部材との間に架け渡されるようにして不燃材からなる平板状の軒天材が設けられており、この軒天材の上面に軟質断熱材が敷設されており、
前記外壁には、前記軒天材の外壁側端部を支持する支持部材が設けられており、
この支持部材は、外部と軒裏とを連通する通気路と、この通気路と前記断熱材の外壁側端部との間に立ち上がる仕切り部とを備えていることを特徴とする軒天防火構造。
【請求項３】
請求項１または２に記載の軒天防火構造において、
前記仕切り部の上端部には、前記軒天材の上方に向かって突出することによって前記断熱材の端部を押さえ込む押さえ部が一体的に設けられていることを特徴とする軒天防火構造。
【請求項４】
請求項１〜３のいずれか一項に記載の軒天防火構造において、
前記通気路内には、火災時に発泡することによって、この通気路を塞ぐ防火発泡材が設けられていることを特徴とする軒天防火構造。
【請求項５】
請求項１〜４のいずれか一項に記載の軒天防火構造において、
前記断熱材は、前記軒天材と、建物躯体に固定される軒天用野縁との間に挟み込まれていることを特徴とする軒天防火構造。
【発明の詳細な説明】
【技術分野】
【０００１】
本発明は、軒天防火構造に関する。
【背景技術】
【０００２】
従来、建築基準法上、高い防火性能を要求される地域に木造住宅等の建物を建築する際の軒裏構造においては、例えば、特許文献１のように軒天材を複数枚重ね合わせたり、より厚みのある軒天材を用いたりするような種々の防火構造を採用して防火性能の向上を図っていた。
また、特許文献１の技術においては、軒先防火通気金物を用いることによって通気路が確保されており、軒裏の換気が可能となっている。
【特許文献１】特開平１１−２４１４３４号公報
【発明の開示】
【発明が解決しようとする課題】
【０００３】
ところで、例えば一方が隣家に近接し、他方が広い庭や公園に面するような住宅においては、一方側の軒の出寸法と、他方側の軒の出寸法とが同じであっても、要求される防火性能が異なる場合がある。このような住宅の場合、一方の軒裏には防火構造を採用するとともに、他方の軒裏は防火構造を採用しない通常の軒裏構造とするか、もしくは、双方の軒裏ともに防火構造を採用しなければならない。
ところが、上述のように複数枚重ねられた軒天材や厚みのある軒天材を用いると、その分、重量が重くなるため、これら軒天材が取り付けられる下地材の野縁組みを密にするなどして軒裏構造の補強を行わなければならず、施工に手間がかかる場合があった。
そこで、例えば、上述のような防火構造を採用しない通常の軒裏構造において、必要に応じて、軒天材の上面に比較的重量の軽い断熱材等を敷設するなどして、任意の箇所の防火性能を向上させたいという要望があった。
【０００４】
本発明の課題は、任意の箇所の防火性能を向上させることが可能な軒天防火構造を提供することを目的とする。
【課題を解決するための手段】
【０００５】
請求項１に記載の発明は、例えば図１および図３に示すように、建物の外壁１と、建物の屋根２の軒先部３に設けられる鼻隠部材１０，１０Ｂとの間に架け渡されるようにして不燃材からなる平板状の軒天材４，４Ｂが設けられており、この軒天材４，４Ｂの上面に軟質断熱材６，６Ｂが敷設されており、
前記鼻隠部材１０，１０Ｂは、この鼻隠部材１０，１０Ｂの下部近傍に設けられるとともに、外部と軒裏とを連通する通気路１１ａ，１１Ｂａを有する通気部１１，１１Ｂと、この通気部１１，１１Ｂと一体形成されるとともに、前記通気路１１ａ，１１Ｂａと前記断熱材６，６Ｂの軒先側端部との間に立ち上がる仕切り部１２，１２Ｂとを備えていることを特徴とする。
【０００６】
請求項１に記載の発明によれば、前記不燃材からなる平板状の軒天材４，４Ｂの上面に軟質断熱材６，６Ｂが敷設されていることから、例えば前記軒天材４，４Ｂの下方で火災が発生した際に、前記軒天材４，４Ｂは燃えずに残存して軒裏への延焼を確実に防止できるとともに、この軒天材４，４Ｂの上面に敷設された前記断熱材６，６Ｂによって火災の熱を断熱して、この火災の熱によって軒裏の温度が高温になることを確実に防ぐことができるので、前記軒天材４，４Ｂ付近の防火性能を向上させることが可能となる。すなわち、前記断熱材６，６Ｂを前記軒天材４，４Ｂの上面に敷設することで、任意の箇所の防火性能を向上させることが可能となるので、例えば、一方が隣家に近接し、他方が広い庭や公園に面するような住宅等の建物の一方側の軒裏と、他方側の軒裏とにおいて、要求される防火性能が異なる場合であっても、容易かつ確実に対応することができる。
また、前記鼻隠部材１０，１０Ｂは、この鼻隠部材１０，１０Ｂの下部近傍に設けられるとともに、外部と軒裏とを連通する通気路１１ａ，１１Ｂａを有する通気部１１，１１Ｂと、この通気部１１，１１Ｂと一体形成されるとともに、前記通気路１１ａ，１１Ｂａと前記断熱材６，６Ｂの軒先側端部との間に立ち上がる仕切り部１２，１２Ｂとを備えているので、この仕切り部１２，１２Ｂによって、前記通気路１１ａ，１１Ｂａが前記断熱材６，６Ｂの軒先側端部によって塞がれてしまうことを確実に防ぐことができる。これによって、前記通気路１１ａ，１１Ｂａを通じて軒裏への通気を確保することができる。
【０００９】
請求項２に記載の発明は、例えば図２に示すように、建物の外壁１と、建物の屋根２の軒先部３に設けられる鼻隠部材１０Ａとの間に架け渡されるようにして不燃材からなる平板状の軒天材４Ａが設けられており、この軒天材４Ａの上面に軟質断熱材６Ａが敷設されており、
前記外壁１には、前記軒天材４Ａの外壁側端部を支持する支持部材２０が設けられており、
この支持部材２０は、外部と軒裏とを連通する通気路２１と、この通気路２１と前記断熱材６Ａの外壁側端部との間に立ち上がる仕切り部２２とを備えていることを特徴とする。
【００１０】
請求項２に記載の発明によれば、前記不燃材からなる平板状の軒天材４Ａの上面に軟質断熱材６Ａが敷設されていることから、例えば前記軒天材４Ａの下方で火災が発生した際に、前記軒天材４Ａは燃えずに残存して軒裏への延焼を確実に防止できるとともに、この軒天材４Ａの上面に敷設された前記断熱材６Ａによって火災の熱を断熱して、この火災の熱によって軒裏の温度が高温になることを確実に防ぐことができるので、前記軒天材４Ａ付近の防火性能を向上させることが可能となる。すなわち、前記断熱材６Ａを前記軒天材４Ａの上面に敷設することで、任意の箇所の防火性能を向上させることが可能となるので、例えば、一方が隣家に近接し、他方が広い庭や公園に面するような住宅等の建物の一方側の軒裏と、他方側の軒裏とにおいて、要求される防火性能が異なる場合であっても、容易かつ確実に対応することができる。
また、前記支持部材２０は、外部と軒裏とを連通する通気路２１と、この通気路２１と前記断熱材６Ａの外壁側端部との間に立ち上がる仕切り部２２とを備えているので、この仕切り部２２によって、前記通気路２１が前記断熱材６Ａの外壁側端部によって塞がれてしまうことを確実に防ぐことができる。これによって、前記通気路２１を通じて軒裏への通気を確保することができる。
【００１１】
請求項３に記載の発明は、例えば図１〜図３に示すように、請求項１または２に記載の軒天防火構造において、
前記仕切り部１２，２２，１２Ｂの上端部には、前記軒天材４，４Ａ，４Ｂの上方に向かって突出することによって前記断熱材６，６Ａ，６Ｂの端部を押さえ込む押さえ部１３，２３，１３Ｂが一体的に設けられていることを特徴とする。
【００１２】
請求項３に記載の発明によれば、前記仕切り部１２，２２，１２Ｂの上端部には、前記軒天材４，４Ａ，４Ｂの上方に向かって突出することによって前記断熱材６，６Ａ，６Ｂの端部を押さえ込む押さえ部１３，２３，１３Ｂが一体的に設けられているので、この押さえ部１３，２３，１３Ｂによって前記断熱材６，６Ａ，６Ｂの端部を押さえ込むことによって、前記断熱材６，６Ａ，６Ｂを、建物の外壁１と、建物の屋根２の軒先部３に設けられる鼻隠部材１０，１０Ａ，１０Ｂとの間に確実に納めることができる。これによって、前記通気路１１ａ，２１，１１Ｂａが前記断熱材６，６Ａ，６Ｂの端部によって塞がれてしまうことを、より確実に防ぐことができる。
【００１３】
請求項４に記載の発明は、例えば図１〜図３に示すように、請求項１〜３のいずれか一項に記載の軒天防火構造において、
前記通気路１１ａ，２１，１１Ｂａ内には、火災時に発泡することによって、この通気路１１ａ，２１，１１Ｂａを塞ぐ防火発泡材７が設けられていることを特徴とする。
【００１４】
請求項４に記載の発明によれば、前記通気路１１ａ，２１，１１Ｂａ内には、火災時に発泡することによって、この通気路１１ａ，２１，１１Ｂａを塞ぐ防火発泡材７が設けられていることから、火災時に、この防火発泡材７によって、前記通気路１１ａ，２１，１１Ｂａが塞がれることとなり、前記通気路１１ａ，２１，１１Ｂａから軒裏へと延焼することを確実に防止することができるので、前記軒天材４，４Ａ，４Ｂ付近の防火性能を、より向上させることが可能となる。
【００１５】
請求項５に記載の発明は、例えば図３に示すように、請求項１〜４のいずれか一項に記載の軒天防火構造において、
前記断熱材６Ｂは、前記軒天材４Ｂと、建物躯体に固定される軒天用野縁５Ｂとの間に挟み込まれていることを特徴とする。
【００１６】
請求項５に記載の発明によれば、前記断熱材６Ｂは、前記軒天材４Ｂと、建物躯体に固定される軒天用野縁５Ｂとの間に挟み込まれているので、前記断熱材６Ｂがめくれてしまったり、浮いてしまったりすることを確実に防ぐことができ、前記軒天材４Ｂ上に確実に納めることができる。
【発明の効果】
【００１７】
本発明によれば、不燃材からなる平板状の軒天材の上面に軟質断熱材が敷設されていることから、例えば軒天材の下方で火災が発生した際に、軒天材は燃えずに残存して軒裏への延焼を確実に防止できるとともに、この軒天材の上面に敷設された断熱材によって火災の熱を断熱して、この火災の熱によって軒裏の温度が高温になることを確実に防ぐことができるので、軒天材付近の防火性能を向上させることが可能となる。すなわち、断熱材を軒天材の上面に敷設することで、任意の箇所の防火性能を向上させることが可能となるので、例えば、一方が隣家に近接し、他方が広い庭や公園に面するような住宅等の建物の一方側の軒裏と、他方側の軒裏とにおいて、要求される防火性能が異なる場合であっても、容易かつ確実に対応することができる。
【発明を実施するための最良の形態】
【００１８】
以下、図面を参照して本発明の実施の形態について説明する。なお、本実施の形態の建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１９】
また、このパネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２０】
（第１の実施の形態）
本実施の形態の軒天防火構造は、図１に示すように、建物の外壁１と、建物の屋根２の軒先部３に設けられる鼻隠部材１０との間に架け渡されるようにして不燃材からなる平板状の軒天材４が設けられており、この軒天材４の上面に軟質断熱材６が敷設されている。
【００２１】
ここで、前記外壁１は外壁パネル１であり、この外壁パネル１は、縦横の框材１ａおよび補助桟材（図示せず）によって枠体が構成され、この枠体の両面に面材１ｂが貼設されたものであり、前記軒天材４よりも下方に位置する外壁１の外表面には、サイディング材１ｃが取り付けられている。
また、この外壁パネル１の上端部には、この外壁パネル１の上部に設けられる屋根２の勾配に合わせて調整された勾配調整材１ｄが設けられている。
【００２２】
また、前記屋根２は屋根パネル２であり、この屋根パネル２は、縦横の框材２ａおよび補助桟材（図示せず）によって枠体が構成され、この枠体の上面に面材２ｂが貼設されたものである。さらに、この屋根パネル２の上面には複数の屋根材２ｃが葺かれている。
そして、この屋根パネル２は、前記外壁パネル１の上端部の勾配調整材１ｄの上部に載せられている。
【００２３】
なお、本実施の形態の屋根パネル２を構成する框材２ａのうち、この屋根パネル２の勾配方向下端に位置する框材２ａは、他の框材２ａに比して、高さ寸法が短くなるように設定されており、これによって、後述する通気路１１ａを確保できるようになっている。
【００２４】
さらに、前記屋根２の軒先部３、すなわち、屋根パネル２の勾配方向下端に位置する框材２ａの軒先側端面には、軒先側端面が垂直面となるように調整された勾配調整材３ａが設けられており、この勾配調整材３ａの垂直面に、前記鼻隠部材１０を介して雨樋部材３ｂが設けられている。
【００２５】
前記平板状の軒天材４は不燃材からなり、この不燃材としては、例えば硬質木片セメント板や、木繊維混入セメント・けい酸カルシウム板、繊維補強セメント板、繊維混入セメント・石灰・けい酸カルシウム板又は繊維混入セメント・けい酸カルシウム板、石膏ボード等が用いられている。
【００２６】
また、この軒天材４は、縦横の芯材５ａを枠状に組んでなるとともに建物躯体に固定される軒天用野縁５の下面に取り付けられている。なお、この軒天用野縁５は、外壁側に位置する芯材５ａが前記外壁１に固定されている。
【００２７】
前記軟質断熱材６としては、例えばグラスウールやロックウール等が用いられているが、これに限られず、フェノールフォームやウレタンフォーム、ポリスチレンフォーム等の樹脂系断熱材、羊毛断熱材、セルロース断熱材、真空断熱材等を用いてもよい。
【００２８】
一方、前記鼻隠部材１０は、この鼻隠部材１０の下部近傍に設けられるとともに、外部と軒裏とを連通する通気路１１ａを有する通気部１１と、この通気部１１と一体形成されるとともに、前記通気路１１ａと前記断熱材６の軒先側端部との間に立ち上がる仕切り部１２とを備えている。
そして、このように前記鼻隠部材１０は、外部と軒裏とを連通する通気路１１ａを有する通気部１１と、前記通気路１１ａと前記断熱材６の軒先側端部との間に立ち上がる仕切り部１２とを備えているので、この仕切り部１２によって、前記通気路１１ａが前記断熱材６の軒先側端部によって塞がれてしまうことを確実に防ぐことができる。これによって、前記通気路１１ａを通じて軒裏への通気を確保することができる。
【００２９】
なお、本実施の形態の鼻隠部材１０は、鋼製薄板を折曲加工することによって形成されており、垂直に配置される垂直板部１０ａが、前記勾配調整材３ａと雨樋部材３ｂとの間に挟みこまれるようにして設けられている。また、断面フック状に形成された上部１０ｂが、前記屋根パネル２の上面に取り付けられる引掛部材に引っ掛けられている。
さらに、この鼻隠部材１０は、前記通気部１１と一体形成されるとともに、この通気部１１の外壁側に、外壁１に向かって突出形成され、さらに、前記軒天材４の軒先側端部が載置される載置部１４を備えている。
【００３０】
また、前記通気部１１は、前記通気路１１ａの他に、この通気部１１と前記雨樋部材３ｂとの間に形成される隙間に向かって開口する通気口１５とを備えている。
【００３１】
さらに、前記通気部１１には、火災時に発泡して前記通気路１１ａを塞ぐ防火発泡材７が設けられている。なお、この防火発泡材７は、前記通気口１５近傍に設けられている。
これによって、火災時に、前記通気路１１ａに設けられた防火発泡材７が発泡することで前記通気路１１ａが塞がれることとなり、前記通気路１１ａから軒裏へと延焼することを確実に防止することができるので、前記軒天材４付近の防火性能を向上させることが可能となっている。
【００３２】
なお、本実施の形態の防火発泡材７は、例えばグラファイト系材料からなり、約２００度以上に熱せられると発泡し、例えば２〜３ｍｍ厚の防火発泡材７で約１５〜２０倍に膨張する。したがって、この防火発泡材７は、前記通気路１１ａを完全に閉塞できるような大きさに設定されている。
【００３３】
また、前記仕切り部１２は、前記載置部１４と一体形成されるとともに、この載置部１４の上端部から垂直方向に延出するようにして設けられている。そして、この仕切り部１２は、前記通気路１１ａを形成する壁の一部としても機能している。
【００３４】
また、前記仕切り部１２の上端部には、前記軒天材４の上方に向かって突出することによって前記断熱材６の軒先側端部を押さえ込む押さえ部１３が一体的に設けられている。
すなわち、この押さえ部１３によって前記断熱材６の軒先側端部を押さえ込むことによって、前記断熱材６を、建物の外壁１と、建物の屋根２の軒先部３に設けられる鼻隠部材１０との間に確実に納めることができるので、前記通気路１１ａが前記断熱材６の軒先側端部によって塞がれてしまうことを、より確実に防ぐことができる。
【００３５】
また、この押さえ部１３は前記屋根パネル２の下面に当接しており、この押さえ部１３と、前記屋根パネル２の勾配方向下端に位置する框材２ａの下面との間に隙間を形成しているので、この押さえ部１３は、前記通気路１１ａを形成する壁の一部としても機能している。
【００３６】
そして、前記断熱材６を、前記軒天材４の上面に敷設する際は、この断熱材６の軒先側端部を、前記軒天材４と、前記仕切り部１２と、前記押さえ部１３とによって囲まれた位置に押し込むようにして入れる。
また、この断熱材６の外壁側端部は、前記外壁１の表面に接するようにして配置し、前記軒天用野縁５が設けられている位置の断熱材６の部位は、この軒天用野縁５の上面に載せるようにして配置する。
【００３７】
または、このような方法の他にも、予め前記断熱材６を、前記軒天用野縁５の上面に載せておくとともに、この断熱材６の軒先側端部を前記仕切り部１２と、前記押さえ部１３とに接するように押し込んでおき、前記軒天材４を後から施工するような方法でもよいものとする。
【００３８】
本実施の形態によれば、前記不燃材からなる平板状の軒天材４，４Ａ，４Ｂの上面に軟質断熱材６，６Ａ，６Ｂが敷設されていることから、例えば前記軒天材４，４Ａ，４Ｂの下方で火災が発生した際に、前記軒天材４，４Ａ，４Ｂは燃えずに残存して軒裏への延焼を確実に防止できるとともに、この軒天材４，４Ａ，４Ｂの上面に敷設された前記断熱材６，６Ａ，６Ｂによって火災の熱を断熱して、この火災の熱によって軒裏の温度が高温になることを確実に防ぐことができるので、前記軒天材４，４Ａ，４Ｂ付近の防火性能を向上させることが可能となる。すなわち、前記断熱材６，６Ａ，６Ｂを前記軒天材４，４Ａ，４Ｂの上面に敷設することで、任意の箇所の防火性能を向上させることが可能となるので、例えば、一方が隣家に近接し、他方が広い庭や公園に面するような住宅等の建物の一方側の軒裏と、他方側の軒裏とにおいて、要求される防火性能が異なる場合であっても、容易かつ確実に対応することができる。
【００３９】
（第２の実施の形態）
次に、図面を参照して本発明の第２の実施の形態について説明する。なお、説明の便宜上、上述した第１の実施の形態とは異なる構成部分のみについて説明する。
【００４０】
本実施の形態の軒天防火構造は、図２に示すように、建物の外壁１と、建物の屋根２の軒先部３に設けられる鼻隠部材１０Ａとの間に架け渡されるようにして不燃材からなる平板状の軒天材４Ａが設けられており、この軒天材４Ａの上面に軟質断熱材６Ａが敷設されている。
また、前記外壁１には、前記軒天材４Ａの外壁側端部を支持する支持部材２０が設けられており、この支持部材２０は、外部と軒裏とを連通する通気路２１と、この通気路２１と前記断熱材６Ａの外壁側端部との間に立ち上がる仕切り部２２とを備えている。
【００４１】
ここで、前記支持部材２０は、前記外壁１に固定される固定板部２０ａと、この固定板部２０ａの下端部から前記軒先側に突出するとともに、前記外壁１の表面に取り付けられるサイディング材１ｃの上端部が当接する当接部２０ｂとを備えている。
【００４２】
そして、前記通気路２１は、前記固定板部２０ａと、前記仕切り部２２との間に形成されており、これら固定板部２０ａおよび仕切り部２２間に架設されるとともに、下方に向かって開口する通気口２１ａを備えている。
さらに、前記通気路２１には、火災時に発泡して前記通気路２１を塞ぐ防火発泡材７が設けられている。なお、この防火発泡材７は、前記通気口２１ａ近傍に設けられている。
【００４３】
前記仕切り部２２は、前記固定板部２０ａと対向するようにして配置されており、この仕切り部２２の上端部には、前記軒天材４Ａの上方に向かって突出することによって前記断熱材６Ａの外壁側端部を押さえ込む押さえ部２３が一体的に設けられている。
すなわち、前記断熱材６Ａの外壁側端部を、前記軒天材４Ａと、前記仕切り部２２と、前記押さえ部２３とによって囲まれた位置に納めることができる。
【００４４】
また、この仕切り部２２の下端部には、軒先側に突出することによって、前記軒天材４Ａの外壁側端部を支持する支持部２４が一体的に設けられている。
【００４５】
一方、前記鼻隠部材１０Ａは、この鼻隠部材１０Ａの下部外壁側に、外壁１に向かって突出形成されるとともに、前記軒天材４Ａの軒先側端部が載置される載置部１４Ａと、この載置部１４Ａと一体形成されるとともに、この載置部１４Ａの上端部から垂直方向に延出する仕切り部１２Ａとを備えている。
また、この仕切り部１２Ａの上端部には、前記軒天材４Ａの上方に向かって突出することによって前記断熱材６Ａの軒先側端部を押さえ込む押さえ部１３Ａが一体的に設けられている。すなわち、前記断熱材６Ａの軒先側端部を、前記軒天材４Ａと、前記仕切り部１２Ａと、前記押さえ部１３Ａとによって囲まれた位置に納めることができる。
【００４６】
さらに、前記断熱材６Ａの外壁側端部を、前記軒天材４Ａと、前記仕切り部２２と、前記押さえ部２３とによって囲まれた位置に納めることができるとともに、前記断熱材６Ａの軒先側端部を、前記軒天材４Ａと、前記仕切り部１２Ａと、前記押さえ部１３Ａとによって囲まれた位置に納めることができるので、前記断熱材６Ａを、前記軒天材４Ａの上面に確実に納めることができるようになっている。
【００４７】
なお、本実施の形態の屋根パネル２の勾配方向下端に位置する框材２ａは、この框材２ａと、前記押さえ部１３Ａとの間に通気路を形成する必要がないので、他の框材２ａと同様の高さ寸法に設定されている。
【００４８】
本実施の形態によれば、前記仕切り部２２によって、前記通気路２１が前記断熱材６Ａの外壁側端部によって塞がれてしまうことを確実に防ぐことができる。これによって、前記通気路２１を通じて軒裏への通気を確保することができる。
また、前記押さえ部２３によって前記断熱材６Ａの外壁側端部を押さえ込むことによって、前記断熱材６Ａを、建物の外壁１と、建物の屋根２の軒先部３に設けられる鼻隠部材１０Ａとの間に確実に納めることができるので、前記通気路２１が前記断熱材６Ａの外壁側端部によって塞がれてしまうことを、より確実に防ぐことができる。
【００４９】
（第３の実施の形態）
次に、図面を参照して本発明の第３の実施の形態について説明する。なお、説明の便宜上、上述した第１および第２の実施の形態とは異なる構成部分のみについて説明する。
【００５０】
本実施の形態の軒天防火構造は、図３に示すように、建物の外壁１と、建物の屋根２の軒先部３に設けられる鼻隠部材１０Ｂとの間に架け渡されるようにして不燃材からなる平板状の軒天材４Ｂが設けられており、この軒天材４Ｂの上面に軟質断熱材６Ｂが敷設されている。
また、前記断熱材６Ｂは、前記軒天材４Ｂと、建物躯体に固定される軒天用野縁５Ｂとの間に挟み込まれている。
【００５１】
ここで、前記軒天用野縁５Ｂは、縦横の芯材５Ｂａを枠状に組んでなり、これら縦横の芯材５Ｂａのうち、外壁側に位置する芯材５Ｂａが前記外壁１に固定されている。
また、この軒天用野縁５Ｂの下部には前記断熱材６Ｂが配置され、この断熱材６Ｂの下部には前記軒天材４Ｂが配置されている。
【００５２】
また、前記鼻隠部材１０Ｂは、外部と軒裏とを連通する通気路１１Ｂａを有する通気部１１Ｂと、前記通気路１１Ｂａと前記断熱材６Ｂの軒先側端部との間に立ち上がる仕切り部１２Ｂと、この仕切り部１２Ｂの上端部に一体的に設けられるとともに、前記軒天材４Ｂの上方に向かって突出する押さえ部１３Ｂとを備えている。また、この鼻隠部材１０Ｂは、前記通気部１１Ｂと一体形成されるとともに、この通気部１１Ｂの外壁側に、外壁１に向かって突出形成され、さらに、前記軒天材４Ｂの軒先側端部が載置される載置部１４Ｂを備えている。
そして、前記軒天材４Ｂと、前記仕切り部１２Ｂと、前記押さえ部１３Ｂとによって囲まれた位置に、前記断熱材６Ｂの軒先側端部が納められるようにして配置されており、前記通気路１１Ｂａが塞がれてしまうことを防ぎ、この通気路１１Ｂａを通じて軒裏への通気を確保できるようになっている。
【００５３】
一方、前記断熱材６Ｂを、前記軒天材４Ｂと、前記軒天用野縁５Ｂとの間に挟み込む場合は、前記軒天材４Ｂを、例えば止着材等によって前記軒天用野縁５Ｂに固定する際に、この軒天材４Ｂとともに前記断熱材６Ｂを、前記軒天用野縁５Ｂに固定するような方法がとられている。
【００５４】
本実施の形態によれば、前記断熱材６Ｂは、前記軒天材４Ｂと、建物躯体に固定される軒天用野縁５Ｂとの間に挟み込まれているので、前記断熱材６Ｂがめくれてしまったり、浮いてしまったりすることを確実に防ぐことができ、前記軒天材４Ｂ上に確実に納めることができる。
【図面の簡単な説明】
【００５５】
【図１】本発明の第１の実施の形態に係る軒天防火構造を示す側断面図である。
【図２】本発明の第２の実施の形態に係る軒天防火構造を示す側断面図である。
【図３】本発明の第３の実施の形態に係る軒天防火構造を示す側断面図である。
【符号の説明】
【００５６】
１  外壁
２  屋根
３  軒先部
４  軒天材
６  断熱材
１０  鼻隠部材
【図１】
0005301890.tif 000002
【図２】
0005301890.tif 000003
【図３】
0005301890.tif 000004